(57)【要約】      （修正有）【課題】静電気が蓄積するという問題を効果的に解決する電磁コイル装置を提供する。【解決手段】電子膨張弁を駆動する電磁コイル装置であって、配線部６が設置されているコイル本体１、コイル本体の外側に覆設されたステータハウジング２、ステータハウジングの外側に成形されたハウジング３、及び電磁コイル装置に取り付けられて電子膨張弁に嵌合される留め具５を少なくとも含み、ハウジングに留め具を装着する留め具位置決め溝３１が設置されており、留め具位置決め溝と配線部は、電磁コイル装置の円周方向における位置が異なり、ステータハウジングの留め具位置決め溝に位置する部分が露出されて、留め具位置決め溝に取り付けられた留め具に接続され、留め具位置決め溝にシール材４が充填されており、シール材は、留め具位置決め溝において露出されているステータハウジングを少なくとも覆う。【選択図】図５
0003224299.tif 000002
【実用新案登録請求の範囲】
【請求項１】
電子膨張弁を駆動する電磁コイル装置であって、
配線部（６）が設置されているコイル本体（１）、前記コイル本体（１）の外側に覆設されたステータハウジング（２）、前記ステータハウジング（２）の外側に成形されたハウジング（３）、及び前記電磁コイル装置に取り付けられて電子膨張弁に嵌合される留め具（５）を、少なくとも含み、
前記ハウジング（３）に前記留め具（５）を装着する留め具位置決め溝（３１）が設置されており、前記留め具位置決め溝（３１）と前記配線部（６）は、前記電磁コイル装置の円周方向における位置が異なり、前記ステータハウジング（２）の前記留め具位置決め溝（３１）に位置する部分が露出されて、前記留め具位置決め溝（３１）に取り付けられた留め具（５）に接続され、前記留め具位置決め溝（３１）にシール材（４）が充填されており、前記シール材（４）は、前記留め具位置決め溝（３１）において露出されているステータハウジング（２）を少なくとも覆うことを特徴とする電磁コイル装置。
【請求項２】
前記留め具（５）は、挿入部（５１）、及び前記挿入部（５１）の一端から電子膨張弁へ曲がって延びる位置決め部（５２）を備え、前記挿入部（５１）は前記ステータハウジング（２）に接続され、前記位置決め部（５２）は電子膨張弁に嵌合接続されることを特徴とする請求項１に記載の電磁コイル装置。
【請求項３】
前記挿入部（５１）に溶接部が設けられており、前記溶接部は前記ステータハウジング（２）に溶接されていることを特徴とする請求項２に記載の電磁コイル装置。
【請求項４】
前記挿入部（５１）は、前記ステータハウジング（２）の円周方向に沿って前記挿入部（５１）の両側に延びる第１溶接部（５１１）及び第２溶接部（５１２）を有することを特徴とする請求項３に記載の電磁コイル装置。
【請求項５】
前記留め具位置決め溝（３１）内に、少なくとも１つの位置決めリブが設置されており、前記位置決めリブは、前記留め具（５）を押圧して前記ステータハウジング（２）と接触させることを特徴とする請求項１〜４のいずれか一項に記載の電磁コイル装置。
【請求項６】
前記留め具位置決め溝（３１）、前記ハウジング（３）及び前記コイル本体（１）は、射出成形法により一体に形成されることを特徴とする請求項１〜５のいずれか一項に記載の電磁コイル装置。
【請求項７】
前記留め具位置決め部（５２）に、前記コイル本体（１）に向かって突出する突起部（５３）が設置されて、電子膨張弁に嵌合するために用いられることを特徴とする請求項２〜６のいずれか一項に記載の電磁コイル装置。
【考案の詳細な説明】
【技術分野】
【０００１】
本考案は、電磁コイル装置に関する。
【背景技術】
【０００２】
中国特許ＣＮ２００９１０１４９５０７．２には電磁コイル装置が開示されている。ＣＮ２００９１０１４９５０７．２の図２を参照すると、コイル本体には、円周側面から突出する配線端子部が設けられており、留め具は、位置決めプレート部と、位置決めプレート部と固定的に接続される挿入プレート部とを備えており、挿入プレート部は、ポッティング材によって配線端子部とポッティング接続されている。ポッティング材には樹脂材料を採用し、樹脂材料が硬化して挿入プレート部と配線端子との固定接続を実現する。
【０００３】
ＣＮ２００９１０１４９５０７．２の構造から分かるように、電磁コイル装置の留め具は、ポッティング樹脂によりコイル端子部内に固定され、留め具はステータハウジングと直接接続されず絶縁されているため、留め具とステータハウジングとの間で電流の伝導が形成されず、ステータハウジングが接地されていない問題があり、作業の際にステータハウジングに静電気が蓄積されやすく、電磁コイル装置の正常使用に不利である。電子部品にとって、接地設計は安全設計の一部であり、静電気の蓄積は製品の正常使用に有害であり、安全上の危険がある。
【考案の概要】
【考案が解決しようとする課題】
【０００４】
これに鑑みて、従来の電磁コイル装置においてステータハウジングが接地されていないため、作業の際にステータハウジングに静電気が蓄積されて、電磁コイル装置の正常の使用を妨げる問題を効果的に解決する電磁コイル装置を提供する。
【課題を解決するための手段】
【０００５】
電子膨張弁を駆動する電磁コイル装置であり、電子コイル装置は、配線部が設置されているコイル本体、コイル本体の外側に覆設されたステータハウジング、ステータハウジングの外側に成形されたハウジング、及び電磁コイル装置に取り付けられて電子膨張弁に嵌合される留め具を少なくとも含み、ハウジングに留め具を装着する留め具位置決め溝が設置されており、留め具位置決め溝と配線部は、電磁コイル装置の円周方向における位置が異なり、ステータハウジングの留め具位置決め溝に位置する部分が露出されて、留め具位置決め溝に取り付けられた留め具に接続され、留め具位置決め溝にシール材が充填されており、シール材は、留め具位置決め溝において露出されているステータハウジングを少なくとも覆う。
【０００６】
更に、留め具は、挿入部、及び挿入部の一端から電子膨張弁へ曲がって延びる位置決め部を有し、挿入部はステータハウジングに接続され、位置決め部は電子膨張弁に嵌合接続される。
【０００７】
更に、留め具挿入部に溶接部が設けられており、溶接部はステータハウジングに溶接されている。
【０００８】
更に、留め具挿入部は、ステータハウジングの円周方向に沿って挿入部の両側に延びる第１溶接部及び第２溶接部を有する。
【０００９】
更に、留め具位置決め溝内に、少なくとも位置決めリブが１箇所設置されており、位置決めリブは、留め具を押圧してステータハウジングと接触させる。
【００１０】
更に、留め具位置決め溝、ハウジング及びコイル本体は、射出成形法で一体に射出成形して形成される。
【００１１】
更に、留め具位置決め部に、コイル本体に向かって突出する突起部が設置されて、電子膨張弁に嵌合するために用いられる。
【００１２】
従来技術と比較すると、本考案が提供する電磁コイル装置において、ハウジングに設置された留め具を装着する留め具位置決め溝とコイル本体に設置された配線部は、電磁コイル装置の円周方向における位置が異なり、留め具位置決め溝において露出されているステータハウジングは、留め具位置決め溝に取り付けられた留め具に接続され、留め具位置決め溝に充填されたシール材は、留め具位置決め溝において露出されているステータハウジングを少なくとも覆う。本考案の利点は、留め具がステータハウジングに接続され、且つ電子膨張弁に嵌合接続されて、ステータハウジングの接地が保証され、電磁コイル装置の使用寿命を向上させることである。
【図面の簡単な説明】
【００１３】
【図１】本考案の具体的な実施例に係る、電磁コイル装置の平面構造概略図である。
【図２】本考案の具体的な実施例に係る、留め具位置決め溝をシールする前の電磁コイル装置の構造概略図である。
【図３】本考案の具体的な実施例に係る、留め具を電磁コイル装置に挿入する構造概略図である。
【図４】本考案の具体的な実施例に係る、留め具の構造概略図である。
【図５】図１における電磁コイル装置のＢ−Ｂ線断面の構造概略図である。
【考案を実施するための形態】
【００１４】
本考案の目的、技術案及び利点をより明確にするために、以下に図面及び実施例を参照しながら、本考案について更に詳細に説明する。以下に説明する具体的な実施例は、単に本考案を理解するためのものに過ぎず、本考案を限定するものではないことを理解されたい。
【００１５】
図１から図５を参照すると、本考案が提供する電磁コイル装置は、電子膨張弁を駆動するためのものであり、電磁コイル装置は、配線部６が設置されているコイル本体１、コイル本体１の外側に覆設されたステータハウジング２、ステータハウジング２の外側に成形されたハウジング３、及び電磁コイル装置に取り付けられて電子膨張弁（図示せず）に嵌合される留め具５を少なくとも含み、ハウジング３に留め具５を装着する留め具位置決め溝３１が設置されている。留め具位置決め溝３１と配線部６は、電磁コイル装置の円周方向における位置が異なり、ステータハウジング２の留め具位置決め溝３１に位置する部分が露出されて、留め具位置決め溝３１に取り付けられた留め具５に接続され、留め具位置決め溝３１にシール材４が充填されており、シール材４は、留め具位置決め溝３１において露出されているステータハウジング２を覆う。
【００１６】
具体的には、留め具５は挿入部５１を有し、挿入部５１は留め具位置決め溝３１内に挿入されて留め具位置決め溝３１において露出されているステータハウジング２に接続される。挿入部５１に溶接部が設けられており、溶接部は、ステータハウジング２の円周方向に沿って挿入部５１の両側に延びる第１溶接部５１１及び第２溶接部５１２に分けられ、第１溶接部５１１及び第２溶接部５１２は、いずれもステータハウジング２に溶接されており、溶接方法はレーザ溶接を含むが、これに限定されない。留め具はステータハウジングに溶接されており、留め具とステータハウジングとの間において電流の伝導が形成されると共に、留め具とステータハウジングの接続の信頼性を向上させ、且つコイル本体への損傷を招かない。
【００１７】
留め具５は、挿入部５１の一端から電子膨張弁へ曲がって延びる位置決め部５２を更に有し、位置決め部５２は電子膨張弁に嵌合接続される。位置決め部５２には、コイル本体１に向かって突出する突起部５３が設置されており、突起部５３は電子膨張弁に嵌合されて位置決めされ、電磁コイルが使用時に回転したり脱落したりすることを防止する。このように、留め具、ステータハウジング及び電子膨張弁の接続により、ステータハウジングと電子膨張弁の接続を実現して、ステータハウジングの接地接続が保証される。
【００１８】
図１を参照すると、留め具位置決め溝３１と配線部６は、電磁コイル装置の円周方向において対称位置にあり、且つ留め具位置決め溝３１は、電磁コイル装置の外周面に突出されている。このようにすれば、留め具の取付が容易になると共に、留め具の取付及び溶接プロセスの際に配線部が損傷することを回避することができる。留め具位置決め溝３１と配線部６は、電磁コイル装置の円周方向において非対称位置にあってもよく、留め具位置決め溝３１は、電磁コイル装置の外周面に突出してなくてもよい。
【００１９】
図２及び図３を参照すると、留め具位置決め溝３１内に位置決めリブが２箇所設置されており、位置決めリブは留め具５を押圧してステータハウジング２と接触する。２箇所の位置決めリブは、それぞれ第１位置決めリブ３１１及び第２位置決めリブ３１２であり、第１位置決めリブ３１１は、留め具の挿入部５１の第１溶接部５１１を押圧し、第２位置決めリブ３１２は、留め具の挿入部５１の第２溶接部５１２を押圧する。位置決めリブは留め具位置決め溝３１の底部に連結され、且つ留め具位置決め溝３１の開口縁より低い。位置決めリブは留め具５を押圧してステータハウジング２の露出部と接触し、留め具の傾斜や移動を防止して、留め具の取付を容易にし、且つステータハウジングとの接触を緊密にする。
【００２０】
留め具３１には位置決めリブが１箇所以上設置されてもよく、留め具を押圧して位置決めすることができればよい。位置決めリブは、留め具位置決め溝の開口縁と揃っていてもよい。位置決めリブが留め具位置決め溝の底部に連結されずに、位置決めリブと留め具位置決め溝との間に隙間を残してもよい。
【００２１】
本実施例において、留め具位置決め溝３１内にシール材４が充填されており、シール材４は、留め具位置決め溝３１において露出されているステータハウジング２をシールして、電磁コイル装置を長期使用する過程におけるステータハウジングの腐食の発生を防止する。シール材４は留め具位置決め溝３１の全体を充填せず、ステータハウジング２の露出部分を覆い、ステータハウジングをシールして腐食しないように保証できればよい。好ましくは、シール材４は樹脂材を採用して、ステータハウジング２をソフトシールする。シール材は、他の材料であってもよく、シール効果が保証できればよい。
【００２２】
留め具位置決め溝３１、ハウジング３及びコイル本体１は、射出成形方式で一体に射出成形して形成され、構造が単純であり、操作しやすい。ハウジングには、ブリード孔が更に設置されてもよい。
【００２３】
本実施例において、配線部６の外部にカバー８が設置されており、カバー８と配線部６との間にはキャビティが形成され、キャビティ内にシール材７が充填されており、シール材７は、留め具位置決め溝３１内のシール材４と同じである。シール材７は、シール材４とは異なるシール材から選択されてもよい。
【００２４】
以上に述べた実施例は、単に本考案の幾つかの実施形態を表すものであって、その説明はより具体的且つ詳細なものであるが、これにより考案の範囲が制限されるものと理解してはならない。なお、本考案の趣旨から逸脱しない限り、当業者は若干の変更及び改良を行ってもよく、それらは全て本考案の保護範囲に属する。したがって、本考案の保護範囲は添付の請求の範囲を基準とすべきである。
【図１】
0003224299.tif 000003
【図２】
0003224299.tif 000004
【図３】
0003224299.tif 000005
【図４】
0003224299.tif 000006
【図５】
0003224299.tif 000007
【手続補正書】
【提出日】令和1年10月10日(2019.10.10)
【手続補正１】
【補正対象書類名】実用新案登録請求の範囲
【補正対象項目名】全文
【補正方法】変更
【補正の内容】
【実用新案登録請求の範囲】
【請求項１】
電子膨張弁を駆動する電磁コイル装置であって、
配線部（６）が設置されているコイル本体（１）、前記コイル本体（１）の外側に覆設されたステータハウジング（２）、前記ステータハウジング（２）の外側に成形されたハウジング（３）、及び前記電磁コイル装置に取り付けられて電子膨張弁に嵌合される留め具（５）を、少なくとも含み、
前記ハウジング（３）に前記留め具（５）を装着する留め具位置決め溝（３１）が設置されており、前記留め具位置決め溝（３１）と前記配線部（６）は、前記電磁コイル装置の円周方向における位置が異なり、前記ステータハウジング（２）の前記留め具位置決め溝（３１）に位置する部分が露出されて、前記留め具位置決め溝（３１）に取り付けられた留め具（５）に接続され、前記留め具位置決め溝（３１）にシール材（４）が充填されており、前記シール材（４）は、前記留め具位置決め溝（３１）において露出されているステータハウジング（２）を少なくとも覆うことを特徴とする電磁コイル装置。
【請求項２】
前記留め具（５）は、挿入部（５１）、及び前記挿入部（５１）の一端から電子膨張弁へ曲がって延びる位置決め部（５２）を備え、前記挿入部（５１）は前記ステータハウジング（２）に接続され、前記位置決め部（５２）は電子膨張弁に嵌合接続されることを特徴とする請求項１に記載の電磁コイル装置。
【請求項３】
前記挿入部（５１）に溶接部が設けられており、前記溶接部は前記ステータハウジング（２）に溶接されていることを特徴とする請求項２に記載の電磁コイル装置。
【請求項４】
前記挿入部（５１）は、前記ステータハウジング（２）の円周方向に沿って前記挿入部（５１）の両側に延びる第１溶接部（５１１）及び第２溶接部（５１２）を有することを特徴とする請求項３に記載の電磁コイル装置。
【請求項５】
前記留め具位置決め溝（３１）内に、少なくとも１つの位置決めリブが設置されており、前記位置決めリブは、前記留め具（５）を押圧して前記ステータハウジング（２）と接触させることを特徴とする請求項２〜４のいずれか一項に記載の電磁コイル装置。
【請求項６】
前記留め具位置決め溝（３１）、前記ハウジング（３）及び前記コイル本体（１）は、
射出成形法により一体に形成されることを特徴とする請求項２〜５のいずれか一項に記載の電磁コイル装置。
【請求項７】
前記留め具位置決め部（５２）に、前記コイル本体（１）に向かって突出する突起部（５３）が設置されて、電子膨張弁に嵌合するために用いられることを特徴とする請求項２〜６のいずれか一項に記載の電磁コイル装置。